(57)【要約】【課題】複数台の映像表示装置を使用して複数の表示画面からなる１画面分の映像を構成する際に、各々の表示画面の特性を揃えるようにする。【解決手段】映像表示装置は、他の映像表示装置と共にループ状に接続されてマルチディスプレイ装置を構成するマスター映像表示装置であって、受信した映像信号から第１映像特徴データを抽出する映像特徴データ抽出部と、光源を制御するための共通設定値を生成し、さらに共通設定値に基づき自装置の光源を制御するコントローラと、前段の他の装置から第２映像特徴データを入力するデータ入力部と、後段の他の装置へ第１映像特徴データまたは共通設定値を出力するデータ出力部とを備える。コントローラは、抽出した第１映像特徴データを後段の他の映像表示装置へ出力し、その後、入力した第２映像特徴データに基づき共通映像設定値を算出し、共通映像設定値を後段の他の映像表示装置へ出力する。【選択図】図２
2017211627.tif 000002
【特許請求の範囲】
【請求項１】
複数の表示画面により１画面分の映像を表示するマルチディスプレイ型の映像表示システムを、他のスレーブ映像表示装置と共にループ状に接続されて構成するマスター映像表示装置であって、
光源と、
前記光源を制御する光源制御部と、
前記光源からの光を映像信号に基づいて変調して表示画面を形成する映像光を生成する表示素子と、
前記映像信号を受信する映像信号受信部と、
前記映像信号受信部で受信した映像信号から、当該映像信号の特徴を示す第１映像特徴データを抽出する映像特徴データ抽出部と、
自装置及び他の映像表示装置における光源を制御するための共通映像設定値を生成し、さらに、当該共通映像設定値に基づき自装置の光源を制御するコントローラと、
前段の他の映像表示装置から、自装置及び他の映像表示装置の各々に対する映像信号の特徴を示す第２映像特徴データを入力するデータ入力部と、
後段の他の映像表示装置へ、前記第１映像特徴データまたは前記共通映像設定値を出力するデータ出力部と、を備え、
前記コントローラは、
前記映像特徴データ抽出部により抽出した前記第１映像特徴データを、後段の他の映像表示装置へ出力し、
その後、前記第２映像特徴データを入力したときに、入力した前記第２映像特徴データに基づき前記共通映像設定値を算出し、算出した前記共通映像設定値を後段の他の映像表示装置へ出力する、映像表示装置。
【請求項２】
前記第１及び第２映像特徴データは、映像信号から得られる平均輝度情報であり、
前記共通映像設定値は、各映像表示装置の平均輝度情報の累積値を、各映像表示装置の表示素子の有効画素数の累積値で除して得られる共通平均輝度情報であり、
前記コントローラは、前記共通平均輝度情報によって、前記光源制御部を制御する、請求項１に記載の映像表示装置。
【請求項３】
前記第１及び第２映像特徴データは、映像信号から得られる平均輝度情報であり、
前記共通映像設定値は、各映像表示装置の平均輝度情報の累積値を、映像表示装置の総台数で除して得られる共通平均輝度情報であり、
前記コントローラは、前記共通平均輝度情報によって、前記光源制御部を制御する、請求項１に記載の映像表示装置。
【請求項４】
複数の表示画面により１画面分の映像を表示するマルチディスプレイ型の映像表示システムを、マスター映像表示装置と共にループ状に接続されて構成するスレーブ映像表示装置であって、
光源と、
前記光源を制御する光源制御部と、
前記光源からの光を映像信号に基づいて変調して表示画面を形成する映像光を生成する表示素子と、
前記映像信号を受信する映像信号受信部と、
前記映像信号受信部で受信した映像信号から、当該映像信号の特徴を示す第１映像特徴データを抽出する映像特徴データ抽出部と、
前段の他の映像表示装置に対する映像信号の特徴を示す第２映像特徴データ、または、自装置及び他の映像表示装置における光源を制御するための共通映像設定値を入力するデータ入力部と、
第３映像特徴データを算出し、さらに、前記共通映像設定値に基づき自装置の光源を制御するコントローラと、
後段の他の映像表示装置へ、前記第３映像特徴データまたは前記共通映像設定値を出力するデータ出力部と、を備え、
前記コントローラは、
前段の他の映像表示装置から前記第２映像特徴データを入力したときに、前記第１映像特徴データと前記第２映像特徴データから前記第３映像特徴データを生成し、生成した前記第３映像特徴データを後段の他の表示装置へ出力し、
その後、前段の他の映像表示装置から前記共通映像設定値を入力したときに、入力した前記共通映像設定値を後段の他の表示装置へ出力する、映像表示装置。
【請求項５】
前記第１〜第３映像特徴データは、映像信号から得られる平均輝度情報であり、
前記共通映像設定値は、各映像表示装置の平均輝度情報の累積値を、各映像表示装置の表示素子の有効画素数の累積値で除して得られる共通平均輝度情報であり、
前記コントローラは、前記共通平均輝度情報によって、前記光源制御部を制御する、請求項４に記載の映像表示装置。
【請求項６】
前記第１〜第３映像特徴データは、映像信号から得られる平均輝度情報であり、
前記共通映像設定値は、各映像表示装置の平均輝度情報の累積値を、映像表示装置の総台数で除して得られる共通平均輝度情報であり、
前記コントローラは、前記共通平均輝度情報によって、前記光源制御部を制御する、請求項４に記載の映像表示装置。
【請求項７】
複数の表示画面により１画面分の映像を表示するマルチディスプレイ型の映像表示システムであって、
互いのデータ入力部とデータ出力部を信号線で結合することによりループ状に接続されたマスター映像表示装置とスレーブ映像表示装置とを備え、
前記マスター映像表示装置は、
受信した映像信号から、当該映像信号の特徴を示す第１映像特徴データを抽出する第１映像特徴データ抽出部と、
自装置及びスレーブ映像表示装置における光源を制御するための共通映像設定値を生成し、さらに、当該共通映像設定値に基づき自装置の光源を制御する第１コントローラと、
前段の前記スレーブ映像表示装置から、自装置及び前記スレーブ映像表示装置の各々に対する映像信号の特徴を示す第２映像特徴データを入力する第１データ入力部と、
後段の前記スレーブ映像表示装置へ、前記第１映像特徴データまたは前記共通映像設定値を出力する第１データ出力部と、を備え、
前記スレーブ映像表示装置は、
受信した映像信号から、当該映像信号の特徴を示す第１映像特徴データを抽出する第２映像特徴データ抽出部と、
前段の前記マスター映像表示装置または前記スレーブ映像表示装置に対する映像信号の特徴を示す第２映像特徴データ、または、前記マスター映像表示装置で生成された前記共通映像設定値を入力する第２データ入力部と、
第３映像特徴データを算出し、さらに、前記共通映像設定値に基づき自装置の光源を制御する第２コントローラと、
後段の前記マスター映像表示装置または前記スレーブ映像表示装置へ、前記第３映像特徴データまたは前記共通映像設定値を出力する第２データ出力部と、を備え、
前記マスター映像表示装置は、
前記第１映像特徴データ抽出部により抽出した前記第１映像特徴データを、後段のスレーブ映像表示装置へ出力し、
その後、第１データ入力部により前記第２映像特徴データを入力したときに、入力した前記第２映像特徴データに基づき前記共通映像設定値を算出し、算出した前記共通映像設定値を後段のスレーブ映像表示装置へ出力し、
前記スレーブ映像表示装置は、
前段の映像表示装置から前記第２映像特徴データを入力したときに、前記第２映像特徴データ抽出部により抽出した前記第１映像特徴データと入力した前記第２映像特徴データとから前記第３映像特徴データを生成し、生成した前記第３映像特徴データを後段の映像表示装置へ出力し、
その後、前段の映像表示装置から前記共通映像設定値を入力したときに、入力した前記共通映像設定値を後段の映像表示装置へ出力する、映像表示システム。
【請求項８】
前記第１〜第３映像特徴データは、映像信号から得られる平均輝度情報であり、
前記共通映像設定値は、各映像表示装置の平均輝度情報の累積値を、各映像表示装置の表示素子の有効画素数の累積値で除して得られる共通平均輝度情報である、請求項７に記載の映像表示システム。
【請求項９】
前記第１〜第３映像特徴データは、映像信号から得られる平均輝度情報であり、
前記共通映像設定値は、各映像表示装置の平均輝度情報の累積値を、映像表示装置の総台数で除して得られる共通平均輝度情報である、請求項７に記載の映像表示システム。
【請求項１０】
複数台の映像表示装置をループ状に信号線で接続し、これら複数台の映像表示装置の任意の一つを、マスター映像表示装置とし、その他の映像表示装置をスレーブ映像表示装置として設定し、
入力される映像信号の平均輝度レベルをマスター映像表示装置側から順次積算して出力し、
前記マスター映像表示装置は、スレーブ映像表示装置から入力される積算された映像表示装置の平均輝度レベルを、前記マスターおよびスレーブ映像表示装置の各々の画素数を累積した累積画素数で割ることにより光源制御情報を生成し、この生成した光源制御情報を前記マスターおよびスレーブ映像表示装置に設定する、映像表示装置の輝度調整方法。
【発明の詳細な説明】
【技術分野】
【０００１】
本開示は、複数の表示画面により１画面分の映像を表示するマルチディスプレイ装置を構成するために複数台用いられる映像表示装置に関する。
【背景技術】
【０００２】
特許文献１は、複数台の映像表示装置で入力映像信号に連動した光量制御を行なう装置を開示する。この装置は、入力映像信号の特徴を検出する手段と、検出した特徴に基づいて光量を制御する制御手段とを備え、特徴検出手段には他の映像表示装置に入力される映像信号と同一の映像信号が入力されことを特徴とする。これにより、複数の映像表示装置の光量制御を同一に動的に変化させ一体感のある表示画面を実現することができる。
【先行技術文献】
【特許文献】
【０００３】
【特許文献１】特開２００７-１７８７７２号公報
【発明の概要】
【発明が解決しようとする課題】
【０００４】
本開示は、複数台の映像表示装置からなるマルチディスプレイ装置を使用して複数の表示画面からなる１画面分の映像を構成する際に、各々の表示画面の特性の不揃いに起因して観察者に違和感を与えることが無いようにした。
【課題を解決するための手段】
【０００５】
本開示における映像表示装置は、複数の表示画面により１画面分の映像を表示するマルチディスプレイ型の映像表示システムを、他のスレーブ映像表示装置と共にループ状に接続されて構成するマスター映像表示装置であって、光源と、光源を制御する光源制御部と、光源からの光を映像信号に基づいて変調して表示画面を形成する映像光を生成する表示素子と、映像信号を受信する映像信号受信部と、映像信号受信部で受信した映像信号から、当該映像信号の特徴を示す第１映像特徴データを抽出する映像特徴データ抽出部と、自装置及び他の映像表示装置における光源を制御するための共通映像設定値を生成し、さらに、当該共通映像設定値に基づき自装置の光源を制御するコントローラと、前段の他の映像表示装置から、自装置及び他の映像表示装置の各々に対する映像信号の特徴を示す第２映像特徴データを入力するデータ入力部と、後段の他の映像表示装置へ、第１の映像特徴データまたは共通映像設定値を出力するデータ出力部とを備える。コントローラは、映像特徴データ抽出部により抽出した第１映像特徴データを、後段の他の映像表示装置へ出力し、その後、第２映像特徴データを入力したときに、入力した第２映像特徴データに基づき共通映像設定値を算出し、算出した共通映像設定値を後段の他の映像表示装置へ出力する。
【０００６】
本開示における他の映像表示装置は、複数の表示画面により１画面分の映像を表示するマルチディスプレイ型の映像表示システムを、マスター映像表示装置と共にループ状に接続されて構成するスレーブ映像表示装置であって、光源と、光源を制御する光源制御部と、光源からの光を映像信号に基づいて変調して表示画面を形成する映像光を生成する表示素子と、映像信号を受信する映像信号受信部と、映像信号受信部で受信した映像信号から、当該映像信号の特徴を示す第１映像特徴データを抽出する映像特徴データ抽出部と、前段の他の映像表示装置に対する映像信号の特徴を示す第２映像特徴データ、または、自装置及び他の映像表示装置における光源を制御するための共通映像設定値を入力するデータ入力部と、第３映像特徴データを算出し、さらに、共通映像設定値に基づき自装置の光源を制御するコントローラと、後段の他の映像表示装置へ、第３映像特徴データまたは共通映像設定値を出力するデータ出力部とを備える。コントローラは、前段の他の映像表示装置から第２映像特徴データを入力したときに、第１映像特徴データと第２映像特徴データから第３映像特徴データを生成し、生成した第３映像特徴データを後段の他の表示装置へ出力し、その後、前段の他の映像表示装置から共通映像設定値を入力したときに、入力した共通映像設定値を後段の他の表示装置へ出力する。
【０００７】
本開示における映像表示システムは、複数の表示画面により１画面分の映像を表示するマルチディスプレイ型の映像表示システムであって、互いのデータ入力部とデータ出力部を信号線で結合することによりループ状に接続されたマスター映像表示装置とスレーブ映像表示装置とを備える。マスター映像表示装置は、受信した映像信号から、当該映像信号の特徴を示す第１映像特徴データを抽出する第１映像特徴データ抽出部と、自装置及びスレーブ映像表示装置における光源を制御するための共通映像設定値を生成し、さらに、当該共通映像設定値に基づき自装置の光源を制御する第１コントローラと、前段のスレーブ映像表示装置から、自装置及びスレーブ映像表示装置の各々に対する映像信号の特徴を示す第２映像特徴データを入力する第１データ入力部と、後段のスレーブ映像表示装置へ、第１の映像特徴データまたは共通映像設定値を出力する第１データ出力部とを備える。スレーブ映像表示装置は、受信した映像信号から、当該映像信号の特徴を示す第１映像特徴データを抽出する第２映像特徴データ抽出部と、前段のマスター映像表示装置またはスレーブ映像表示装置に対する映像信号の特徴を示す第２映像特徴データ、または、マスター映像表示装置で生成された共通映像設定値を入力する第２データ入力部と、第３映像特徴データを算出し、さらに、共通映像設定値に基づき自装置の光源を制御する第２コントローラと、後段のマスター映像表示装置またはスレーブ映像表示装置へ、第３映像特徴データまたは共通映像設定値を出力する第２データ出力部とを備える。マスター映像表示装置は、第１映像特徴データ抽出部により抽出した第１映像特徴データを、後段のスレーブ映像表示装置へ出力し、その後、第１データ入力部により第２映像特徴データを入力したときに、入力した第２映像特徴データに基づき共通映像設定値を算出し、算出した共通映像設定値を後段のスレーブ映像表示装置へ出力する。スレーブ映像表示装置は、前段の映像表示装置から第２映像特徴データを入力したときに、第２映像特徴データ抽出部により抽出した第１映像特徴データと入力した第２映像特徴データとから第３映像特徴データを生成し、生成した第３映像特徴データを後段の映像表示装置へ出力し、その後、前段の映像表示装置から共通映像設定値を入力したときに、入力した共通映像設定値を後段の映像表示装置へ出力する。
【発明の効果】
【０００８】
本開示における映像表示装置は、複数台使用してマルチディスプレイ装置を構成し、これによって表示される複数の表示画面からなる１画面分の映像を構成する際に、各々の表示画面の特性の違いに起因した観察者に対する違和感を無くすことができる。
【図面の簡単な説明】
【０００９】
【図１】従来のマルチディスプレイ装置の構成を示す図
【図２】実施の形態のマルチディスプレイ装置の構成を示す図
【図３】実施の形態１にかかるプロジェクタのブロック図
【図４】実施の形態１のマルチディスプレイ装置の動作を説明するための図
【図５】実施の形態１のマルチディスプレイ装置の動作を説明するための図
【図６】ＡＰＬと光量係数の関係を示す参照テーブル例を示す図
【図７】実施の形態による効果を説明するための図
【図８】実施の形態２にかかるプロジェクタのブロック図
【図９】実施の形態２のマルチディスプレイ装置の動作を説明するための図
【図１０】実施の形態２のマルチディスプレイ装置の動作を説明するための図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、添付図面および以下の説明は、当業者が本開示を十分に理解するために、提供されるのであって、これらにより特許請求の範囲に記載の主題を限定することは意図されていない。
【００１２】
（実施の形態１）
以下、図１〜図７を用いて、実施の形態を説明する。
【００１３】
図１は、従来のマルチディスプレイ装置を示しており、３台のプロジェクタ１（ＰＪ１）、プロジェクタ２（ＰＪ３）、プロジェクタ３（ＰＪ３）をスクリーンに対して水平方向に並べて、１つの映像を形成するように各プロジェクタから映像を投写している状態を示している。プロジェクタ１、プロジェクタ２、プロジェクタ３は、明るいシーンでの明るさ感の不足および暗いシーンでの黒浮に対する品位改善、すなわち動的コントラストの改善のためにそれぞれに入力された映像の明るさの平均輝度レベル（以下「ＡＰＬ（Ａｖｅｒａｇｅ  Ｐｉｃｔｕｒｅ  Ｌｅｖｅｌ）」という）に応じて光源の明るさを制御している。ここで、プロジェクタ１とプロジェクタ３から投写される映像のＡＰＬが０％であり、プロジェクタ２から投写される映像のＡＰＬが１５％であると、これらの映像を１つの映像として見たとき、輝度が不揃いとなってしまう。このため、１つの映像として観賞する場合、観察者に違和感を与え、映像としての表示品質を損なってしまう。
【００１４】
そこで、本実施の形態では、以下に述べる構成によって、かかる不都合を回避している。
【００１５】
図２は、本実施の形態のプロジェクタを用いたマルチディスプレイ装置１０の構成を示す図である。図２に示すように、マルチディスプレイ装置１０は、プロジェクタ１００Ｍ、プロジェクタ１００Ｓ１、プロジェクタ１００Ｓ２の各々の制御情報入力部と制御情報出力部を互いに接続して、３台のプロジェクタをケーブル（信号線）でループ状に接続して構成される。
【００１６】
すなわち、プロジェクタ１００Ｍの制御情報出力部１０２Ｍとプロジェクタ１００Ｓ１の制御情報入力部１０１Ｓ１が接続される。プロジェクタ１００Ｓ１の制御情報出力部１０２Ｓ１とプロジェクタ１００Ｓ２の制御情報入力部１０１Ｓ２が接続される。プロジェクタ１００Ｓ２の制御情報出力部１０２Ｓ２とプロジェクタ１００Ｍの制御情報入力部１０１Ｍが接続される。
【００１７】
図２において、プロジェクタ１００Ｍには、映像信号源から第１映像信号が入力され、この第１映像信号による映像がスクリーン３００に投写される。プロジェクタ１００Ｓ１には、映像信号源から第２映像信号が入力され、この第２映像信号による映像がスクリーン３００に投写される。プロジェクタ１００Ｓ２には、映像信号源から第３映像信号が入力され、この第３映像信号による映像がスクリーン３００に投写される。これらの第１〜第３映像信号による映像がスクリーン３００上に並んで、１つの映像が形成される。
【００１８】
図３はプロジェクタの構成を示すブロック図である。本実施の形態では、プロジェクタ１００Ｍ、プロジェクタ１００Ｓ１、プロジェクタ１００Ｓ２は、同様の構成を有する。すなわち、プロジェクタ１００Ｍ、１００Ｓ１、１００Ｓ２は、図３に示すプロジェクタ１００と同じ構成を有する。しかし、プロジェクタ１００Ｍ、１００Ｓ１、１００Ｓ２のいずれか１台は、他のプロジェクタと機能を異にする。具体的には、プロジェクタ１００Ｍがマスター・プロジェクタとして機能し、プロジェクタ１００Ｓ１、１００Ｓ２はスレーブ・プロジェクタとして機能する（詳細は後述）。
【００１９】
図３に示すように、プロジェクタ１００は、制御情報入力部１０１、制御情報出力部１０２、映像信号受信部１０３、映像表示素子駆動部１０４、映像表示素子１０５、光源輝度制御部１０６、光源駆動部１０７、光源１０８、画素数算出部１０９、コントローラ１１０、マスター／スレーブ設定部１１４、平均輝度検出部１１５からなる。プロジェクタ１００の操作を行うリモコン２００によって、マスター／スレーブ設定部１１４が設定される。制御情報入力部１０１は、データ入力部の一例であり、制御情報出力部１０２はデータ出力部の一例である。
【００２０】
プロジェクタ１００に入力される映像信号は、映像信号受信部１０３に入力される。映像信号受信部１０３に入力された映像信号は、３台のプロジェクタの信号処理時の遅延による映出タイミングのずれを解消するよう所定時間遅延されて映像表示素子駆動部１０４に入力される。映像表示素子駆動部１０４は、映像信号に基づいて映像表示素子１０５を駆動する。映像表示素子としては、ＤＭＤ（Ｄｉｇｉｔａｌ  Ｍｉｒｒｏｒ  Ｄｅｖｉｃｅ）が使用される。
【００２１】
制御情報入力部１０１には、ループ状に接続された他のプロジェクタからの制御情報が入力される。この制御情報は、後述する有効総画素数情報、有効ＡＰＬ係数、平均ＡＰＬの情報である。
【００２２】
この制御情報入力部１０１に入力された制御情報は、コントローラ１１０に入力される。このコントローラ１１０は、プロジェクタ１００の全体の制御を司るものであって、例えば、ＦＰＧＡ（Ｆｉｅｌｄ−Ｐｒｏｇｒａｍｍａｂｌｅ  Ｇａｔｅ  Ａｒｒａｙ）によって構成される。コントローラ１１０は、有効ＡＰＬ係数算出／加算部１１１、画素数加算部１１２、光源制御量演算部１１３、参照テーブル１１９を備える。参照テーブル１１９は、ＡＰＬの情報から、動的コントラストを高めるための光量係数を求めるときに使用される。
【００２３】
コントローラ１１０の制御によって、光源輝度制御部１０６が制御される。コントローラ１１０によって制御される光源輝度制御部１０６は、光源駆動部１０７を制御する。光源駆動部１０７は、光源１０８を光源輝度制御部１０６の制御に基づいて駆動する。光源１０８は、半導体レーザダイオード等の固体光源やメタルハライドランプ等が使用できる。この光源１０８からの照明光が映像表示素子１０５に照射され、映像表示素子１０５は照射される光を映像信号に基づいて変調し、表示画面を形成する映像光を生成する。この映像光は図示しない投写光学系によってスクリーンに拡大投写される。
【００２４】
コントローラ１１０には、画素数算出部１０９から、このプロジェクタ１００の映像表示素子１０５の有効画素数の情報が供給される。コントローラ１１０は、また、マスター／スレーブ設定部１１４からの設定信号が入力される。
【００２５】
平均輝度検出部１１５は、入力される映像信号から平均輝度レベル（ＡＰＬ）を算出してコントローラ１１０に供給する。平均輝度検出部１１５は、入力される映像信号の１フレームごとの平均輝度レベルを算出する。ＡＰＬ（平均輝度レベル）は第１映像特徴データの一例であり、平均輝度検出部１１５は映像特徴データ抽出部の一例である。
【００２６】
コントローラ１１０には、制御情報入力部１０１から、このプロジェクタに接続される前段のプロジェクタからの制御情報（第２の映像特徴データ）が入力される。コントローラ１１０には、また、平均輝度検出部１１５からＡＰＬ情報（第１の映像特徴データ）が入力され、さらに画素数算出部１０９から、当該プロジェクタの有効画素の情報が入力される。コントローラ１１０は、これらデータに基づいて演算した結果（第３の映像特徴データ）を制御情報出力部１０２に出力する。制御情報出力部１０２は、コントローラ１１０からの出力データを、このプロジェクタに接続された後段のプロジェクタに出力する。コントローラ１１０には、映像の映出のタイミングをとるために映像信号に同期した垂直同期信号ＶＳが供給される。有効画素の情報は映像表示装置情報の一例である。
【００２７】
次に、図２、及び図３に示したプロジェクタを使用してシステムとして構成し、マルチディスプレイ装置を設定するためのステップを説明する。
【００２８】
まず、プロジェクタ１００Ｍ、プロジェクタ１００Ｓ１、プロジェクタ１００Ｓ２の最も明るい投写映像のシーンで設定される光量が、互いに同じになるように調整される。プロジェクタ個々において、光量を下げる調整はできるが最大光量を超えるように光量を調整することはできないので、これら３台のプロジェクタのうち最大光量が一番小さいものに光量を揃える。この調整は、リモコンを使用してコントローラに指示して、画面の輝度を目視して調整することができる。また、目視による調整以外に、投写画像をカメラで撮影して、その撮像画像をパーソナルコンピュータ（ＰＣ）で処理して、ＰＣの制御によって各プロジェクタの最大光量を調整できる。
【００２９】
次に、プロジェクタ１００を図２のようにループ状にケーブルで接続する。
【００３０】
プロジェクタ１００をループ状に接続した後、３台のプロジェクタのうちの１つをマスター、他の２台をスレーブとなるように設定をする。この設定は、各プロジェクタに対して、ＯＳＤ（オンスクリーン・ディスプレイ）の連動動作のオン・オフメニューにおいて、リモコン２００で連動動作をオンにし、マスター／スレーブ設定部１１４をマスターとするかスレーブとするかの選択をすることによって行われる。本実施の形態では、プロジェクタ１００Ｍをマスターとして設定し、プロジェクタ１００Ｓ１とプロジェクタ１００Ｓ２をスレーブとして設定している。
【００３１】
ここで、プロジェクタ１００Ｍの映像表示素子の有効画素数を縦が１００画素、横が１００画素の１００００画素とし、プロジェクタ１００Ｓ１の映像表示素子の有効画素数を縦が９０画素、横が１００画素の９０００画素とし、プロジェクタ１００Ｓ２の映像表示素子の有効画素数を縦が１００画素、横が１００画素の１００００画素としている。これら、プロジェクタの画素数は、説明の簡略化のため、少ない画素数にしている。
【００３２】
このように、ケーブルで各映像表示装置をループ状に接続してマルチディスプレイ装置１０として構成されると、各プロジェクタに対して映像信号が供給される。
【００３３】
ここで、あるタイミングにおいて、図４に示すようにプロジェクタ１００ＭにＡＰＬが１０％の第１映像信号が入力され、プロジェクタ１００Ｓ１にＡＰＬが２０％の第２映像信号が入力され、プロジェクタ１００Ｓ２にＡＰＬが６０％の第３映像信号が入力される場合について説明する。
【００３４】
プロジェクタ１００Ｍ、１００Ｓ１、１００Ｓ２は、映像信号の１フレーム毎に、２回のループ処理を行う。第１ループ処理では、プロジェクタ１００Ｍ、１００Ｓ１、１００Ｓ２にそれぞれ入力される第１〜第３映像信号が示す映像のＡＰＬを加算して累積することにより、これらのプロジェクタ１００Ｍ、１００Ｓ１、１００Ｓ２によって投写される映像全体のＡＰＬの累積値を求める。次に、第２ループ処理では、ＡＰＬの累積値に基づいて映像全体の平均ＡＰＬを求め、この平均ＡＰＬをプロジェクタ１００Ｍ、１００Ｓ１、１００Ｓ２で共有する。各プロジェクタ１００Ｍ、１００Ｓ１、１００Ｓ２は共通の平均ＡＰＬに基づいて光源の光量の制御を行う。以下、これらのループ処理を詳細に説明する。
【００３５】
（第１ループ処理）
まず、マスター・プロジェクタ１００Ｍは、その平均輝度検出部１１５でＡＰＬのレベル（１０％）を検出し、その値をコントローラ１１０に入力する。コントローラ１１０は、画素数算出部１０９から、プロジェクタ１００Ｍの有効画素数（１００００）を取得し、有効ＡＰＬ係数算出／加算部１１１において、ＡＰＬのレベル（１０％）と有効画素数（１００００）を掛け合わせて有効ＡＰＬ係数（１０００）を算出する。このようにして算出された有効ＡＰＬ係数はプロジェクタ１００Ｍの有効画素数（有効総画素数）とともに、制御情報出力部１０２Ｍからスレーブ・プロジェクタ１００Ｓ１の制御情報入力部１０１Ｓ１に入力される。
【００３６】
スレーブ・プロジェクタ１００Ｓ１は、その平均輝度検出部１１５でＡＰＬのレベル（２０％）を検出し、その値をコントローラ１１０に入力する。コントローラ１１０は、画素数算出部１０９から、プロジェクタ１００Ｓ１の有効画素数（９０００）を取得し、有効ＡＰＬ係数算出／加算部１１１において、ＡＰＬのレベル（２０％）と有効画素数（９０００）を掛け合わせて有効ＡＰＬ係数（１８００）を算出する。このようにして算出された有効ＡＰＬ係数（１８００）は、有効ＡＰＬ係数算出／加算部１１１において、プロジェクタ１００Ｍからの有効ＡＰＬ係数（１０００）が加算されて、累積された有効ＡＰＬ係数（２８００）が得られる。
【００３７】
また、画素数加算部１１２において、プロジェクタ１００Ｓ１の有効画素数（９０００）とプロジェクタ１００Ｍの有効画素数（１００００）とが加算され、累積された有効総画素数（１９０００）が得られる。有効ＡＰＬ係数（２８００）は、有効総画素数（１９０００）とともに、プロジェクタ１００Ｓ１の制御情報出力部１０２Ｓ１からスレーブ・プロジェクタ１００Ｓ２の制御情報入力部１０１Ｓ２に入力される。
【００３８】
スレーブ・プロジェクタ１００Ｓ２は、その平均輝度検出部１１５でＡＰＬのレベル（６０％）を検出し、その値をコントローラ１１０に入力する。コントローラ１１０は、画素数算出部１０９から、プロジェクタ１００Ｓ２の有効画素数（１００００）を取得し、有効ＡＰＬ係数算出／加算部１１１において、ＡＰＬのレベル（６０％）と有効画素数（１００００）を掛け合わせて有効ＡＰＬ係数（６０００）を算出する。このようにして算出された有効ＡＰＬ係数（６０００）は、有効ＡＰＬ係数算出／加算部１１１において、プロジェクタ１００Ｓ１からの有効ＡＰＬ係数（２８００）が加算されて、累積された有効ＡＰＬ係数（８８００）が得られる。
【００３９】
また、画素数加算部１１２において、プロジェクタ１００Ｓ２の有効画素数（１００００）とプロジェクタ１００Ｓ１からの有効総画素数（１９０００）とが加算され、累積された有効総画素数（２９０００）が得られる。有効ＡＰＬ係数（８８００）は、有効総画素数（２９０００）とともに、プロジェクタ１００Ｓ２の制御情報出力部１０２Ｓ２からマスター・プロジェクタ１００Ｍの制御情報入力部１０１Ｍに入力される。以上のようにして、第１ループ処理では、プロジェクタ１００Ｍ、１００Ｓ１、１００Ｓ２によって投写される映像全体のＡＰＬの累積値が求められる。
【００４０】
（第２ループ処理）
次に、マスター・プロジェクタ１００Ｍは、図５に示すようにコントローラ１１０の光源制御量演算部１１３において、制御情報入力部１０１Ｍに入力された有効ＡＰＬ係数（８８００）を有効総画素数（２９０００）で除して、平均ＡＰＬ（３０．３％）を得る。この後、マスター・プロジェクタ１００Ｍは、コントローラ１１０に設けられた参照テーブル１１９を参照する。参照テーブル１１９には図６に示すようなＡＰＬと光量係数の関係を示すデータが格納されている。マスター・プロジェクタ１００Ｍは、この参照テーブルにより、平均ＡＰＬ（３０．３％）の時に設定される光量係数（５１％）を得て、この光量係数（５１％）に基づき光源輝度制御部１０６を制御することにより、光源の光量を設定する。平均ＡＰＬは、共通映像設定値、または共通平均輝度情報の一例である。
【００４１】
マスター・プロジェクタ１００Ｍで得られた平均ＡＰＬ（３０．３％）は、制御情報出力部１０２Ｍからスレーブ・プロジェクタ１００Ｓ１の制御情報入力部１０１Ｓ１に入力される。スレーブ・プロジェクタ１００Ｓ１は、コントローラ１１０に設けられた参照テーブル１１９を参照し、平均ＡＰＬ（３０．３％）の時に設定される光量係数（５１％）を得て、この光量係数（５１％）に基づき光源輝度制御部１０６を制御することにより、光源の光量を設定する。
【００４２】
スレーブ・プロジェクタ１００Ｓ１は、マスター・プロジェクタ１００Ｍから出力される平均ＡＰＬ（３０．３％）を、制御情報出力部１０２Ｓ１からスレーブ・プロジェクタ１００Ｓ２の制御情報入力部１０１Ｓ２に入力する。スレーブ・プロジェクタ１００Ｓ２は、コントローラ１１０に設けられた参照テーブル１１９を参照し、平均ＡＰＬ（３０．３％）の時に設定される光量係数（５１％）を得て、この光量係数（５１％）に基づき光源輝度制御部１０６を制御することにより、光源の光量を設定する。スレーブ・プロジェクタ１００Ｓ１、１００Ｓ２は、例えば、マスター・プロジェクタ１００Ｍによって生成されて制御情報入力部１０１Ｓ１、１０１Ｓ２に入力されるデータのヘッダ情報により、平均ＡＰＬが入力されたことを認識する。
【００４３】
この後、スレーブ・プロジェクタ１００Ｓ２は、マスター・プロジェクタ１００Ｍから出力される平均ＡＰＬ（３０．３％）を、制御情報出力部１０２Ｓ２からマスター・プロジェクタ１００Ｍの制御情報入力部１０１Ｍに入力する。マスター・プロジェクタ１００Ｍは、スレーブ・プロジェクタ１００Ｓ２から平均ＡＰＬ（３０．３％）を受けると、スレーブ・プロジェクタ１００Ｓ１と、スレーブ・プロジェクタ１００Ｓ２が所定の平均ＡＰＬに設定されたと認識し、設定を終了する。尚、このマスター・プロジェクタ１００Ｍがスレーブ・プロジェクタ１００Ｓ２から平均ＡＰＬ（３０．３％）を受け取った認識は、制御情報の伝達が正しく行なわれたかの確認として利用できるが必須ではない。上記の一連の動作は、映像信号の１フレーム毎に行われる。
【００４４】
ここで、上述したように、図１に示すような従来のマルチディスプレイ装置のように、各プロジェクタ１〜３のそれぞれが個々に光源の明るさを制御すると、プロジェクタ１〜３の映像を１つの映像として見たときに、輝度が不揃いとなってしまう。例えば、ＡＰＬと光量係数が図６に示す関係であり、プロジェクタ１の映像のＡＰＬが１０％であり、プロジェクタ２の映像のＡＰＬが２０％であり、プロジェクタ３の映像のＡＰＬが６０％である場合、プロジェクタ１では光量係数２０％で光源の光量が制御され、プロジェクタ２では光量係数４０％で光源の光量が制御され、プロジェクタ３では光量係数は９０％で光源の光量が制御される。この場合、プロジェクタ１〜３の映像を１つの映像として見たときに、輝度が不揃いとなってしまい、観察者に違和感を与えてしまう。
【００４５】
これに対して、本実施の形態では、図７に示すように、マスター・プロジェクタ１００Ｍ、スレーブ・プロジェクタ１００Ｓ１、及びスレーブ・プロジェクタ１００Ｓ２のＡＰＬが１フレーム毎に同じ値（３０．３％）に揃えられ、１つの映像として合成したときに、輝度の不揃いがなくなり、観察者に違和感を与えることがなくなる。
【００４６】
以上のように、本実施の形態において、マルチディスプレイ装置１０は、互いのデータ入力部とデータ出力部を信号線で結合することによりループ状に接続されたマスター・プロジェクタ１００Ｍとスレーブ・プロジェクタ１００Ｓ１、１００Ｓ２とを備える。
【００４７】
マスター・プロジェクタ１００Ｍは、光源１０８と、光源輝度制御部１０６と、映像表示素子１０５と、映像信号受信部１０３と、平均輝度検出部１１５と、コントローラ１１０と、制御情報入力部１０１と、制御情報出力部１０２とを備える。光源輝度制御部１０６は、光源１０８を制御する。映像表示素子１０５は、光源１０８からの光を映像信号に基づいて変調して表示画面を形成する映像光を生成する。映像信号受信部１０３は、映像信号を受信する。平均輝度検出部１１５は、映像信号受信部１０３で受信した映像信号から、当該映像信号の平均輝度レベルを示すＡＰＬを抽出する。コントローラ１１０は、自装置及びスレーブ・プロジェクタ１００Ｓ１、１００Ｓ２における光源を制御するための平均ＡＰＬを生成し、さらに、平均ＡＰＬに基づき自装置の光源１０８を制御する。制御情報入力部１０１は、前段のスレーブ・プロジェクタ１００Ｓ２から、自装置及びスレーブ・プロジェクタ１００Ｓ１、１００Ｓ２の各々に対する映像信号の平均輝度レベルを示す有効ＡＰＬ係数の累積値を入力する。制御情報出力部１０２は、後段のスレーブ・プロジェクタ１００Ｓ１へ、ＡＰＬまたは平均ＡＰＬを出力する。コントローラ１１０は、平均輝度検出部１１５により抽出したＡＰＬを後段のスレーブ・プロジェクタ１００Ｓ１へ出力し、その後、前段のスレーブ・プロジェクタ１００Ｓ２から有効ＡＰＬ係数の累積値を入力したときに、入力した有効ＡＰＬ係数の累積値に基づき平均ＡＰＬを算出し、算出した平均ＡＰＬを後段のスレーブ・プロジェクタ１００Ｓ１へ出力する、
【００４８】
スレーブ・プロジェクタ１００Ｓ１、１００Ｓ２は、光源１０８と、光源輝度制御部１０６と、映像表示素子１０５と、映像信号受信部１０３と、平均輝度検出部１１５と、コントローラ１１０と、制御情報入力部１０１と、制御情報出力部１０２とを備える。光源輝度制御部１０６は、光源１０８を制御する。映像表示素子１０５は、光源１０８からの光を映像信号に基づいて変調して表示画面を形成する映像光を生成する。映像信号受信部１０３は、映像信号を受信する。平均輝度検出部１１５は、映像信号受信部１０３で受信した映像信号から、当該映像信号の平均輝度レベルを示すＡＰＬを抽出する。制御情報入力部１０１は、前段のプロジェクタに対する映像信号の平均輝度レベルを示す有効ＡＰＬ係数、または、自装置及びスレーブ・プロジェクタ１００Ｓ１、１００Ｓ２における光源を制御するための平均ＡＰＬを入力する。コントローラ１１０は、有効ＡＰＬ係数を算出し、さらに、平均ＡＰＬに基づき自装置の光源を制御する。制御情報出力部１０２は、後段のプロジェクタへ、有効ＡＰＬ係数または平均ＡＰＬを出力する。コントローラ１１０は、前段のプロジェクタから有効ＡＰＬ係数を入力したときに、自装置のＡＰＬと前段のプロジェクタの有効ＡＰＬ係数から有効ＡＰＬ係数の累積値を生成し、生成した有効ＡＰＬ係数の累積値を後段のプロジェクタへ出力し、その後、前段のプロジェクタから平均ＡＰＬを入力したときに、入力した平均ＡＰＬを後段のプロジェクタへ出力する。
【００４９】
上記したように、マスター・プロジェクタ１００Ｍは、自装置の映像信号の平均輝度レベルを示すＡＰＬを後段のスレーブ・プロジェクタ１００Ｓ１に出力する。その後、マスター・プロジェクタ１００Ｍは、スレーブ・プロジェクタ１００Ｓ２から戻る自装置及びスレーブ・プロジェクタ１００Ｓ１、１００Ｓ２の各々に対する映像信号の平均輝度レベルを示す有効ＡＰＬ係数の累積値に基づいて、自装置及びスレーブ・プロジェクタ１００Ｓ１、１００Ｓ２における光源を制御するための平均ＡＰＬを生成し、スレーブ・プロジェクタ１００Ｓ１に出力する。これにより、マスター・プロジェクタ１００Ｍ及びスレーブ・プロジェクタ１００Ｓ１、１００Ｓ２は、平均ＡＰＬに基づいて光源の光量を同一に制御することができる。そのため、マスター・プロジェクタ１００Ｍ及びスレーブ・プロジェクタ１００Ｓ１、１００Ｓ２によって表示される複数の表示画面からなる１画面分の映像を構成する際に、輝度の不揃いがなくなり、観察者に違和感を与えることがなくなる。
【００５０】
上記したように、スレーブ・プロジェクタ１００Ｓ１、１００Ｓ２は、前段のプロジェクタからの有効ＡＰＬ係数と自装置のＡＰＬとに基づいて有効ＡＰＬ係数の累積値を生成して後段のプロジェクタに出力する。これにより、マスター・プロジェクタ１００Ｍ及びスレーブ・プロジェクタ１００Ｓ１、１００Ｓ２の全ての映像信号の有効ＡＰＬ係数の累積値をマスター・プロジェクタ１００Ｍに戻すことができる。そのため、マスター・プロジェクタ１００Ｍは、この有効ＡＰＬ係数の累積値に基づいて、マスター・プロジェクタ１００Ｍ及びスレーブ・プロジェクタ１００Ｓ１、１００Ｓ２の光源を制御するための平均ＡＰＬを生成することができる。その後、スレーブ・プロジェクタ１００Ｓ１、１００Ｓ２は、マスター・プロジェクタ１００Ｍからの平均ＡＰＬに基づいて光源を制御する。これにより、マスター・プロジェクタ１００Ｍ及びスレーブ・プロジェクタ１００Ｓ１、１００Ｓ２は、平均ＡＰＬに基づいて光源の光量を同一に制御することができる。そのため、マスター・プロジェクタ１００Ｍ及びスレーブ・プロジェクタ１００Ｓ１、１００Ｓ２によって表示される複数の表示画面からなる１画面分の映像を構成する際に、輝度の不揃いがなくなり、観察者に違和感を与えることがなくなる。
【００５１】
（実施の形態２）
図８〜図１０及び図６を参照しつつ、実施の形態２を説明する。
【００５２】
図８は実施の形態２にかかるプロジェクタ１００ａの構成を示すブロック図である。この実施の形態２のプロジェクタ１００ａでは、図３に示す実施の形態１のプロジェクタ１００と比較して、コントローラ１１６の内部構成が異なる。すなわち、コントローラ１１６は平均輝度加算部１１７と、台数情報加算部１１８と、光源制御量演算部１１３とを含む。また、プロジェクタ１００ａ内には、画素数算出部１０９は設けられていない。尚、図８のプロジェクタ１００ａにおいて、図３の実施の形態１のプロジェクタ１００と同一構成部分には同一符号を付して、重複説明は省略する。
【００５３】
図９は、本実施の形態のプロジェクタ１００ａを用いたマルチディスプレイ装置１０を示す図である。かかるマルチディスプレイ装置１０は、実施の形態１と同様に、プロジェクタ１００ａＭ、プロジェクタ１００ａＳ１、プロジェクタ１００ａＳ２の各々の制御情報入力部と制御情報出力部とを互いに接続して、３台のプロジェクタをケーブルでループ状に接続している。
【００５４】
すなわち、プロジェクタ１００ａＭの制御情報出力部１０２ａＭとプロジェクタ１００Ｓ１の制御情報入力部１０１ａＳ１が接続される。プロジェクタ１００Ｓ１の制御情報出力部１０２ａＳ１とプロジェクタ１００Ｓ２の制御情報入力部１０１ａＳ２が接続される。プロジェクタ１００Ｓ２の制御情報出力部１０２ａＳ２とプロジェクタ１００Ｍの制御情報入力部１０１ａＭが接続される。
【００５５】
図９において、プロジェクタ１００ａＭには、映像信号源から第１映像信号が入力され、この第１映像信号による映像がスクリーン３００に投写される。プロジェクタ１００ａＳ１には、映像信号源から第２映像信号が入力され、この第２映像信号による映像がスクリーン３００に投写される。プロジェクタ１００ａＳ２には、映像信号源から第３映像信号が入力され、この第３映像信号による映像がスクリーン３００に投写される。これら第１〜第３映像信号による映像がスクリーン３００上に並んで、１つの映像が形成される。
【００５６】
図８に戻って、制御情報入力部１０１には、ループ状に接続されたプロジェクタからの制御情報が入力される。この制御情報は、ＡＰＬ情報や、プロジェクタの接続台数情報、平均ＡＰＬ情報である。
【００５７】
この制御情報入力部１０１に入力された制御情報は、コントローラ１１６に入力される。このコントローラ１１６は、プロジェクタ１００ａの全体の制御を司るものであって、この実施の形態においても、ＦＰＧＡによって構成される。コントローラ１１６は、上述したように平均輝度加算部１１７、台数情報加算部１１８、光源制御量演算部１１３を備える。
【００５８】
次に、図８に示したプロジェクタを使用して、マルチディスプレイ装置を設定するためのステップを説明する。
【００５９】
まず、プロジェクタ１００ａＭ、プロジェクタ１００ａＳ１、プロジェクタ１００ａＳ２の最も明るい投写映像のシーンで設定される光量が、互いに同じになるように調整される。この設定の詳細は実施の形態１の場合と同様であるので、その説明は省略する。
【００６０】
次に、プロジェクタ１００ａを図９のようにループ状にケーブルで接続する。
【００６１】
プロジェクタ１００ａをループ状に接続したら、３台のプロジェクタのうちの１つをマスター、他の２台をスレーブとなる設定をする。この設定の詳細についても実施の形態１の場合と同様であるので、その説明は省略する。
【００６２】
このように、ケーブルで各映像表示装置をループ状に接続してマルチディスプレイ装置１０として構成されると、各プロジェクタに対して映像信号が供給される。
【００６３】
ここで、あるタイミングにおいて、図９に示すようにプロジェクタ１００ａＭにＡＰＬが１０％の第１映像信号が入力され、プロジェクタ１００ａＳ１にＡＰＬが２０％の第２映像信号が入力され、プロジェクタ１００ａＳ２にＡＰＬが６０％の第３映像信号が入力される場合について説明する。
【００６４】
（第１ループ処理）
まず、マスター・プロジェクタ１００ａＭは、その平均輝度検出部１１５でＡＰＬのレベル（１０％）を検出し、その値をコントローラ１１６に入力する。コントローラ１１６は、平均輝度加算部１１７によって「０」にＡＰＬのレベル（１０％）が加算された累積値であるＡＰＬ（１０％）を制御情報出力部１０２ａＭから出力し、プロジェクタ１００ａＳ１の制御情報入力部１０１ａＳ１に入力する。マスター・プロジェクタ１００ａＭのコントローラ１１６は、台数情報加算部１１８によって「０」に自身の台数をカウントする数「１」が加算された累積値である「１」を制御情報出力部１０２ａＭから出力し、スレーブ・プロジェクタ１００ａＳ１の制御情報入力部１０１ａＳ１に入力する。
【００６５】
スレーブ・プロジェクタ１００ａＳ１は、その平均輝度検出部１１５でＡＰＬのレベル（２０％）を検出し、その値をコントローラ１１６に入力する。コントローラ１１６は、平均輝度加算部１１７によって、制御情報入力部１０１ａＳ１に入力されたＡＰＬの値（１０％）にＡＰＬのレベル（２０％）が加算された累積値であるＡＰＬ（３０％）を制御情報出力部１０２ａＳ１から出力し、スレーブ・プロジェクタ１００ａＳ２の制御情報入力部１０１ａＳ２に入力する。スレーブ・プロジェクタ１００ａＳ１のコントローラ１１６は、台数情報加算部１１８によって、制御情報入力部１０１ａＳ１に入力された台数情報「１」に自身の台数をカウントする数「１」が加算された累積値である「２」を制御情報出力部１０２ａＳ１から出力し、スレーブ・プロジェクタ１００ａＳ２の制御情報入力部１０１ａＳ２に入力する。
【００６６】
スレーブ・プロジェクタ１００ａＳ２は、その平均輝度検出部１１５でＡＰＬのレベル（６０％）を検出し、その値をコントローラ１１６に入力する。コントローラ１１６は、平均輝度加算部１１７によって、制御情報入力部１０１ａＳ２に入力されたＡＰＬの値（３０％）にＡＰＬのレベル（６０％）が加算された累積値であるＡＰＬ（９０％）を制御情報出力部１０２ａＳ２から出力し、マスター・プロジェクタ１００ａＭの制御情報入力部１０１ａＭに入力する。スレーブ・プロジェクタ１００ａＳ２のコントローラ１１６は、台数情報加算部１１８によって、制御情報入力部１０１ａＳ２に入力された台数情報「２」に自身の台数をカウントする数「１」が加算された累積値である「３」を制御情報出力部１０２ａＳ２から出力し、マスター・プロジェクタ１００ａＭの制御情報入力部１０１ａＭに入力する。
【００６７】
（第２ループ処理）
次に、マスター・プロジェクタ１００ａＭは、図１０に示すようにコントローラ１１６の光源制御量演算部１１３において、制御情報入力部１０１ａＭに入力されたＡＰＬの累積値（９０％）を台数情報(総台数３）で除して、平均ＡＰＬ（３０％）を得る。この後、マスター・プロジェクタ１００ａＭは、コントローラ１１６に設けられた参照テーブル１１９を参照する。参照テーブル１１９には図６に示すようなＡＰＬと光量係数の関係を示すデータが格納されており、この参照テーブルにより、平均ＡＰＬ（３０％）の時に設定される光量係数（５０％）を得て、この光量係数（５０％）に基づき光源輝度制御部１０６を制御する。
【００６８】
マスター・プロジェクタ１００Ｍで得られた平均ＡＰＬ（３０％）は、制御情報出力部１０２ａＭからスレーブ・プロジェクタ１００ａＳ１の制御情報入力部１０１ａＳ１に入力される。スレーブ・プロジェクタ１００ａＳ１は、コントローラ１１６に設けられた参照テーブル１１９を参照し、平均ＡＰＬ（３０％）の時に設定される光量係数（５０％）を得て、この光量係数（５０％）に基づき光源輝度制御部１０６を制御する。
【００６９】
スレーブ・プロジェクタ１００ａＳ１は、マスター・プロジェクタ１００Ｍから出力される平均ＡＰＬ（３０％）を、制御情報出力部１０２ａＳ１からスレーブ・プロジェクタ１００ａＳ２の制御情報入力部１０１ａＳ２に入力する。スレーブ・プロジェクタ１００ａＳ２は、コントローラ１１６に設けられた参照テーブル１１９を参照し、平均ＡＰＬ（３０％）の時に設定される光量係数（５０％）を得て、この光量係数（５０％）に基づき光源輝度制御部１０６を制御する。
【００７０】
この後、スレーブ・プロジェクタ１００ａＳ２は、マスター・プロジェクタ１００ａＭから出力される平均ＡＰＬ（３０％）を、制御情報出力部１０２ａＳ２からマスター・プロジェクタ１００ａＭの制御情報入力部１０１ａＭに入力する。マスター・プロジェクタ１００ａＭは、スレーブ・プロジェクタ１００ａＳ２から平均ＡＰＬ（３０％）を受けると、スレーブ・プロジェクタ１００ａＳ１と、スレーブ・プロジェクタ１００ａＳ２が所定の平均ＡＰＬに設定されたと認識し、設定を完了する。このマスター・プロジェクタ１００ａＭがスレーブ・プロジェクタ１００ａＳ２から平均ＡＰＬ（３０％）を受け取った認識は、制御情報の伝達が正しく行なわれたかの確認として利用できるが必須ではない。上述の一連の動作を映像信号の１フレーム毎に行われる。
【００７１】
本実施の形態でも、実施の形態１と同様の利点を得ることができる。マスター・プロジェクタ１００ａＭは、自装置の映像信号の平均輝度レベルを示すＡＰＬを後段のスレーブ・プロジェクタ１００ａＳ１に出力する。その後、マスター・プロジェクタ１００ａＭは、スレーブ・プロジェクタ１００ａＳ２から戻る自装置及びスレーブ・プロジェクタ１００Ｓ１、１００Ｓ２の各々に対する映像信号の平均輝度レベルを示すＡＰＬの累積値に基づいて、自装置及びスレーブ・プロジェクタ１００ａＳ１、１００ａＳ２における光源を制御するための平均ＡＰＬを生成し、スレーブ・プロジェクタ１００ａＳ１に出力する。これにより、マスター・プロジェクタ１００ａＭ及びスレーブ・プロジェクタ１００ａＳ１、１００ａＳ２は、平均ＡＰＬに基づいて光源の光量を同一に制御することができる。そのため、マスター・プロジェクタ１００ａＭ及びスレーブ・プロジェクタ１００ａＳ１、１００ａＳ２によって表示される複数の表示画面からなる１画面分の映像を構成する際に、輝度の不揃いがなくなり、観察者に違和感を与えることがなくなる。
【００７２】
また、スレーブ・プロジェクタ１００ａＳ１、１００ａＳ２は、前段のプロジェクタからのＡＰＬと自装置のＡＰＬとに基づいてＡＰＬの累積値を生成して後段のプロジェクタに出力する。これにより、マスター・プロジェクタ１００ａＭ及びスレーブ・プロジェクタ１００ａＳ１、１００ａＳ２の全ての映像信号のＡＰＬの累積値をマスター・プロジェクタ１００ａＭに戻すことができる。そのため、マスター・プロジェクタ１００ａＭは、このＡＰＬの累積値に基づいて、マスター・プロジェクタ１００ａＭ及びスレーブ・プロジェクタ１００ａＳ１、１００ａＳ２の光源を制御するための平均ＡＰＬを生成することができる。その後、スレーブ・プロジェクタ１００ａＳ１、１００ａＳ２は、マスター・プロジェクタ１００ａＭからの平均ＡＰＬに基づいて光源を制御する。これにより、マスター・プロジェクタ１００ａＭ及びスレーブ・プロジェクタ１００ａＳ１、１００ａＳ２は、平均ＡＰＬに基づいて光源の光量を同一に制御することができる。そのため、マスター・プロジェクタ１００ａＭ及びスレーブ・プロジェクタ１００ａＳ１、１００ａＳ２によって表示される複数の表示画面からなる１画面分の映像を構成する際に、輝度の不揃いがなくなり、観察者に違和感を与えることがなくなる。
【００７３】
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００７４】
（１）すなわち、本開示では、例示的に３台のプロジェクタを接続しているが、２台以上のプロジェクタであれば、２台以上のプロジェクタをループ状に接続する場合に適用できる。
【００７５】
（２）コントローラはＦＰＧＡで構成しているが、マイクロコンピュータによっても構成できる。
【００７６】
（３）映像表示装置として、プロジェクタを使用しているが、一例であって、これに限定されず、液晶表示装置、ＬＥＤ（Ｌｉｇｈｔ  Ｅｍｉｔｔｉｎｇ  Ｄｉｏｄｅ）表示装置であっても良い。
【００７７】
（４）また、本実施の形態では、３台のプロジェクタによって投写される映像全体の平均ＡＰＬ（平均輝度レベル）を求め、この平均ＡＰＬに基づいて光源の光量を制御した。しかし、本開示はこれに限定されず、複数のプロジェクタによって投写される映像全体の平均ＡＰＬに加えて映像全体のピーク輝度を求め、これらの平均ＡＰＬ及びピーク輝度に基づいて光源の光量を制御してもよい。以下、この思想を実施の形態１に適用する一例を説明するが、同様に、実施の形態２にもこの思想を適用可能である。
【００７８】
例えば、実施の形態１において、平均輝度検出部１１５は、入力される映像信号が示す映像のピーク輝度（第１映像特徴データ）を検出する。コントローラ１１０は、平均輝度検出部１１５からのピーク輝度と、制御情報入力部１０１に入力される前段のプロジェクタからのピーク輝度（第２映像特徴データ）とを比較して、大きい方を選択し、選択したピーク輝度（第３映像特徴データ）を制御情報出力部１０２を介して後段のプロジェクタに出力する。すなわち、第１映像特徴データは、上述したＡＰＬに加えてピーク輝度を含み、第２及び第３映像特徴データは、上述した平均ＡＰＬに加えてピーク輝度を含む。
【００７９】
より具体的には、第１のループ処理において、マスター・プロジェクタ１００Ｍは、平均輝度検出部１１５によって自身に入力される映像信号が示す映像のピーク輝度を検出する。マスター・プロジェクタ１００Ｍのコントローラ１１０は、平均輝度検出部１１５で検出したピーク輝度を制御情報出力部１０２Ｍを介してスレーブ・プロジェクタ１００Ｓ１に出力する。スレーブ・プロジェクタ１００Ｓ１は、平均輝度検出部１１５によって自身に入力される映像信号が示す映像のピーク輝度を検出する。スレーブ・プロジェクタ１００Ｓ１のコントローラ１１０は、平均輝度検出部１１５で検出したピーク輝度と、制御情報入力部１０１Ｓ１を介してプロジェクタ１００Ｍから入力されるピーク輝度とを比較して、大きい方のピーク輝度を制御情報出力部１０２Ｓ１を介してスレーブ・プロジェクタ１００Ｓ２に出力する。スレーブ・プロジェクタ１００Ｓ２は、平均輝度検出部１１５によって自身に入力される映像信号が示す映像のピーク輝度を検出する。スレーブ・プロジェクタ１００Ｓ２のコントローラ１１０は、平均輝度検出部１１５で検出したピーク輝度と、制御情報入力部１０１Ｓ２を介してプロジェクタ１００Ｓ１から入力されるピーク輝度とを比較して、大きい方のピーク輝度を制御情報出力部１０２Ｓ２を介してマスター・プロジェクタ１００Ｍに出力する。これより、マスター・プロジェクタ１００Ｍは、映像全体におけるピーク輝度を知ることができる。
【００８０】
次に、第２のループ処理において、マスター・プロジェクタ１００Ｍは、上記したように映像全体の平均ＡＰＬに基づいて光源の光量を設定する際に、ピーク輝度を考慮する。例えば、マスター・プロジェクタ１００Ｍは、ピーク輝度が所定値よりも高い場合、予め設定された所定値よりも低い平均ＡＰＬを設定しないようにする。これにより、例えば夜空の映像のようにＡＰＬが低い映像において、光源の光量を絞り過ぎて映像における星が暗くなってしまうことを回避することができる。
【００８１】
（５）また、本開示では、複数のプロジェクタによって投写される映像全体の平均ＡＰＬ（平均輝度レベル）に代えて映像全体の明るさのヒストグラム（例えば、輝度分布）を求め、このヒストグラムに基づいて光源の光量を制御してもよい。以下、この思想を実施の形態１に適用する一例を説明するが、同様に、実施の形態２にもこの思想を適用可能である。
【００８２】
例えば、実施の形態１において、検出部１１５は、入力される映像信号が示す映像の輝度分布（第１映像特徴データ）を検出する。例えば、輝度分布は、輝度が０％以上２５％未満、２５％以上５０％未満、５０％以上７５％未満、７５％以上１００％以下である４つの領域それぞれの映像全体に対する割合を含む。コントローラ１１０は、検出部１１５からの輝度分布と、制御情報入力部１０１に入力される前段のプロジェクタからの輝度分布（第２映像特徴データ）とを、４つの輝度領域ごとに加算して、累積した平均輝度分布（第３映像特徴データ）を制御情報出力部１０２を介して後段のプロジェクタに出力する。すなわち、第１映像特徴データは、上述したＡＰＬに代えて輝度分布を含み、第２及び第３映像特徴データは、上述した平均ＡＰＬに代えて平均輝度分布を含む。
【００８３】
より具体的には、第１のループ処理において、マスター・プロジェクタ１００Ｍは、検出部１１５によって自身に入力される映像信号が示す映像の輝度分布を検出する。マスター・プロジェクタ１００Ｍのコントローラ１１０は、検出部１１５で検出した輝度分布を制御情報出力部１０２Ｍを介してスレーブ・プロジェクタ１００Ｓ１に出力する。スレーブ・プロジェクタ１００Ｓ１は、検出部１１５によって自身に入力される映像信号が示す映像の輝度分布を検出する。スレーブ・プロジェクタ１００Ｓ１のコントローラ１１０は、検出部１１５で検出した輝度分布と、制御情報入力部１０１Ｓ１を介してプロジェクタ１００Ｍから入力される輝度分布とを４つの輝度領域ごとに加算して、累積した平均輝度分布を制御情報出力部１０２Ｓ１を介してスレーブ・プロジェクタ１００Ｓ２に出力する。スレーブ・プロジェクタ１００Ｓ２は、検出部１１５によって自身に入力される映像信号が示す映像の輝度分布を検出する。スレーブ・プロジェクタ１００Ｓ２のコントローラ１１０は、検出部１１５で検出した輝度分布と、制御情報入力部１０１Ｓ２を介してプロジェクタ１００Ｓ１から入力される輝度分布とを４つの輝度領域ごとに加算して、累積した平均輝度分布を制御情報出力部１０２Ｓ２を介してマスター・プロジェクタ１００Ｍに出力する。これより、マスター・プロジェクタ１００Ｍは、映像全体における平均輝度分布を知ることができる。
【００８４】
次に、第２のループ処理において、マスター・プロジェクタ１００Ｍは、映像全体の平均輝度分布に基づいて、光源の光量の共通設定値を設定する。マスター・プロジェクタ１００Ｍ及びスレーブ・プロジェクタ１００Ｓ１、１００Ｓ２は、この共通設定値に基づいて自身の光源の光量を設定する。
【００８５】
なお、上述の実施の形態は、本開示における技術を例示するためのものであるから、特許請求の範囲またはその均等の範囲において種々の変更、置き換え、付加、省略などを行うことができる。
【産業上の利用可能性】
【００８６】
本開示は、プロジェクタ等の映像表示装置に適用可能である。
【符号の説明】
【００８７】
１０  マルチディスプレイ装置
１、２、３、１００、１００ａ  プロジェクタ
１００Ｍ、１００ａＭ  プロジェクタ
１００Ｓ１、１００ａＳ１  プロジェクタ
１００Ｓ２、１００ａＳ２  プロジェクタ
１０１  制御情報入力部
１０１Ｍ、１０１Ｓ１、１０１Ｓ２  制御情報入力部
１０１ａＭ、１０１ａＳ１、１０１ａＳ２  制御情報入力部
１０２Ｍ、１０２Ｓ１、１０２Ｓ２  制御情報出力部
１０２ａＭ、１０２ａＳ１、１０２ａＳ２  制御情報出力部
１０２  制御情報出力部
１０３  映像信号受信部
１０４  映像表示素子駆動部
１０５  映像表示素子
１０６  光源輝度制御部
１０７  光源駆動部
１０８  光源
１０９  画素数算出部
１１０  コントローラ
１１１  有効ＡＰＬ係数算出／加算部
１１２  画素数加算部
１１３  光源制御量演算部
１１４  マスター／スレーブ設定部
１１５  平均輝度検出部
１１６  コントローラ
１１７  平均輝度加算部
１１８  台数情報加算部
１１９  参照テーブル
２００  リモコン
【図１】
2017211627.tif 000003
【図２】
2017211627.tif 000004
【図３】
2017211627.tif 000005
【図４】
2017211627.tif 000006
【図５】
2017211627.tif 000007
【図６】
2017211627.tif 000008
【図７】
2017211627.tif 000009
【図８】
2017211627.tif 000010
【図９】
2017211627.tif 000011
【図１０】
2017211627.tif 000012